(57)【要約】【課題】キー操作を行うことなくコンピューティング装置のシステム制御を可能とするシステムおよび方法を提供する。【解決手段】先ず、コンピューティング装置に関連付けられた記憶媒体インターフェイスによって携帯形記憶装置が検出され、記憶媒体インターフェイスを介して、コンピューティング装置と検出された携帯形記憶装置の間のデータ通信が開始される。次に、コンピューティング装置と検出したデータ装置との間のデータ通信にしたがって、システム制御インストラクションが識別される。次に、識別されたシステム制御インストラクションにしたがって、コンピューティング装置に対するシステム制御が開始される。【選択図】図６
2009064432.tif 000002
【特許請求の範囲】
【請求項１】
携帯形記憶装置の存在を検出する検出手段と、この検出手段によって検出された携帯形記憶装置とコンピューティング装置との間のデータ通信を開始する通信開始手段とを含む、記憶媒体インターフェイスと、
前記コンピューティング装置と検出された携帯形記憶装置との間のデータ通信にしたがって、システム制御インストラクションを識別するシステム制御インストラクション識別手段と、
このシステム制御インストラクション識別手段によって識別されたシステム制御インストラクションにしたがって前記コンピューティング装置のシステム制御を開始する制御開始手段と
を有することを特徴とする携帯形記憶装置を用いてコンピューティング装置のシステム制御を行うシステム。
【請求項２】
前記システム制御インストラクションは、前記コンピューティング装置のソフト・シャットダウンを行うインストラクションを含むことを特徴とする請求項１に記載の携帯形記憶装置を用いてコンピューティング装置のシステム制御を行うシステム。
【請求項３】
前記システム制御インストラクションは、ソフト・シャットダウン後に前記コンピューティング装置を再起動する再起動インストラクションを、さらに、含むことを特徴とする請求項２に記載の携帯形記憶装置を用いてコンピューティング装置のシステム制御を行うシステム。
【請求項４】
前記携帯形記憶装置は、不揮発性データ記憶装置を含み、
前記記憶媒体インターフェイスは、前記不揮発性データ記憶装置に保存されたデータにアクセスする手段を、さらに、含むことを特徴とする請求項３に記載の携帯形記憶装置を用いてコンピューティング装置のシステム制御を行うシステム。
【請求項５】
前記記憶媒体インターフェイスは、磁気的データ記憶装置からなる不揮発性データ記憶装置を受け取る磁気カード読取装置で構成されていることを特徴とする請求項４に記載の携帯形記憶装置を用いてコンピューティング装置のシステム制御を行うシステム。
【請求項６】
前記磁気カード読取装置は、クレジット・カードからのデータにアクセスすることを特徴とする請求項５に記載の携帯形記憶装置を用いてコンピューティング装置のシステム制御を行うシステム。
【請求項７】
前記システム制御インストラクション識別手段は、
システム制御インストラクションに関連付けられた予め選択されたコードを表すコード・データを保存する記憶手段と、
前記携帯形記憶装置に関連するデータを前記コード・データと比較する比較手段と、
この比較手段の出力にしたがって前記システム制御インストラクションを識別する手段と
を含むことを特徴とする請求項６に記載の携帯形記憶装置を用いてコンピューティング装置のシステム制御を行うシステム。
【請求項８】
少なくとも１つの予め選択されたコードは、予め定められたフォーマットでクレジット・カードの磁性体の帯に保存されていることを特徴とする請求項７に記載の携帯形記憶装置を用いてコンピューティング装置のシステム制御を行うシステム。
【請求項９】
前記携帯形記憶装置は、ユニバーサル・シリアル・バス・インターフェイスを有するデータ記憶装置、またはスマート・カード、またはフラッシュ・メモリ記憶装置、またはディスク記憶装置であることを特徴とする請求項４に記載の携帯形記憶装置を用いてコンピューティング装置のシステム制御を行うシステム。
【請求項１０】
コンピューティング装置に関連付けられた記憶媒体インターフェイスによって携帯形記憶装置の存在を検出するステップと、
このステップによって検出された携帯形記憶装置とコンピューティング装置と間のデータ通信を前記記憶媒体インターフェイスによって開始するステップと、
前記コンピューティング装置と前記検出された携帯形記憶装置との間のデータ通信にしたがって、システム制御インストラクションを識別するステップと、
このステップによって識別されたシステム制御インストラクションにしたがって前記コンピューティング装置のシステム制御を開始するステップと
を含むことを特徴とする携帯形記憶装置を用いてコンピューティング装置のシステム制御を行う方法。
【請求項１１】
前記システム制御インストラクションは、前記コンピューティング装置のソフト・シャットダウンを行うインストラクションを含むことを特徴とする請求項１０に記載の携帯形記憶装置を用いてコンピューティング装置のシステム制御を行う方法。
【請求項１２】
前記システム制御インストラクションは、ソフト・シャットダウン後に前記コンピューティング装置を再起動する再起動インストラクションを、さらに、含むことを特徴とする請求項１１に記載の携帯形記憶装置を用いてコンピューティング装置のシステム制御を行う方法。
【請求項１３】
前記携帯形記憶装置は、不揮発性データ記憶装置を含み、
前記方法は、前記不揮発性データ記憶装置に保存されたデータにアクセスするステップを、さらに、含むことを特徴とする請求項１２に記載の携帯形記憶装置を用いてコンピューティング装置のシステム制御を行う方法。
【請求項１４】
携帯形記憶装置の存在を検出し、前記コンピューティング装置と前記検出された携帯形記憶装置間でデータ通信を開始する前記ステップは、磁気的データ記憶装置からなる不揮発性データ記憶装置を受け取る磁気カード読取装置によって行われることを特徴とする請求項１３に記載の携帯形記憶装置を用いてコンピューティング装置のシステム制御を行う方法。
【請求項１５】
前記磁気カード読取装置によってクレジット・カードからのデータにアクセスするステップを、さらに、含むことを特徴とする請求項１４に記載の携帯形記憶装置を用いてコンピューティング装置のシステム制御を行う方法。
【請求項１６】
前記システム制御インストラクションを識別するステップは、システム制御インストラクションに関連付けられた予め選択されたコードを表すコード・データを記憶装置に保存するステップと、
前記携帯形記憶装置に関連するデータを前記コード・データと比較する比較ステップと、
この比較ステップの出力にしたがって前記システム制御インストラクションを識別するステップと
を、さらに、含むことを特徴とする請求項１５に記載の携帯形記憶装置を用いてコンピューティング装置のシステム制御を行う方法。
【請求項１７】
少なくとも１つの予め選択されたコードは、予め定められたフォーマットでクレジット・カードの磁性体の帯に保存されていることを特徴とする請求項１６に記載の携帯形記憶装置を用いてコンピューティング装置のシステム制御を行う方法。
【請求項１８】
前記携帯形記憶装置は、ユニバーサル・シリアル・バス・インターフェイスを有するデータ記憶装置、またはスマート・カード、またはフラッシュ・メモリ記憶装置、またはディスク記憶装置であることを特徴とする請求項１３に記載の携帯形記憶装置を用いてコンピューティング装置のシステム制御を行う方法。
【発明の詳細な説明】
【技術分野】
【０００１】
本発明は、コンピューティング装置のシャットダウンまたは再起動のシステム制御を行うシステムおよび方法に関し、特に、ユーザ・インターフェイスがタッチ・スクリーンであるコンピューティング装置のシャットダウンまたは再起動のシステム制御を行うシステムおよび方法に関する。
【背景技術】
【０００２】
多くのデータ処理装置は、ユーザ・インターフェイスとして主にタッチ・スクリーンを用いている。応用例には、立ち寄り式端末（walk-up terminal）または乗り付け式端末（drive up terminal）としてキオスク装置等の公共装置または共用装置がある。このような装置は、通常、安価で、使い易く、改竄または意図しない使用に対して適度にセキュアであるように作られている。したがって、このようなシステムは、コンピューティング・システムとタッチ・スクリーン・インターフェイスを利用することが多く、そのため別個のキー・ベースのデータ入力メカニズムを備える必要はない。
【０００３】
しかし、残念ながら、いずれのコンピューティング装置も、ソフトウェア問題、ハードウェア問題、データ・エラーまたはこれらの任意の組み合わせに起因する、１つまたは複数の故障モードになる場合がある。ワークステーションやパーソナル・コンピュータ等の殆どの専用コンピューティング・システムは、適切なシャットダウンを行い、その後、システム再起動を行うシステム制御技術を用いる。そのようなシステム制御は、多くの米国マイクロソフト社のソフトウェア製品で採用されている、［Ctrl］、［Alt］、［Delete］キーを同時に押すような、キー・ストロークの組み合わせによって実行されることが多い。このようなキー・ストロークの組み合わせは、システム制御を直ちに実行可能であり、あるいはシステムの特定の制御またはエラーの起きたアプリケーションの終了を可能にする監視アプリケーションを起動することもできる。
【０００４】
しかしながら、前述したキオスク装置等の共用システムは、多くの場合、キー・ベースの入力メカニズムを備えていないため、前述したキー・ストロークの組み合わせのタイプのような障害に対処するオプションを用いることができない。システムがロックすると、タッチ・スクリーン・インターフェイスが使用不能になることが多い。キーボードを運んでコンピュータに接続することによってトラブルに対応することもできるが、これは、面倒で時間のかかる方法である。この方法は、具体的には、公にアクセスできるキオスク装置によって、印刷、ファクシミリ、電子メール、コピーまたは他のドキュメント処理機能を使用するドキュメント処理設備等において多数の装置を同時に保守しなければならないときに、特に問題になる。ハードウェア・リセットを強制的に行ったり、システムへの電力を物理的に切断し再投入したりすることもできるが、このような極端な方法によると、リセットの際に揮発性メモリ内にあるデータが失われたりソフトウェアが破損したりする場合がある。
【０００５】
したがって、コンピューティング・システムあるいはコンピューティング装置を、キー操作を行うことなく、システム制御を可能とするシステムおよび方法が望まれている。
【発明の開示】
【発明が解決しようとする課題】
【０００６】
本発明は、上記の従来の問題点に鑑みてなされたもので、キー操作を行うことなくコンピューティング装置のシステム制御を可能とするシステムおよび方法を提供することを目的とする。
【課題を解決するための手段】
【０００７】
本発明による携帯形記憶装置を用いてコンピューティング装置のシステム制御を行うシステムは、携帯形記憶装置の存在を検出する検出手段と、検出された携帯形記憶装置とコンピューティング装置との間のデータ通信を開始する通信開始手段とを含む、記憶媒体インターフェイスを有する。本システムは、また、コンピューティング装置と検出された携帯形記憶装置との間のデータ通信にしたがって、システム制御インストラクションを識別するシステム制御インストラクション識別手段と、このシステム制御インストラクション識別手段によって識別されたシステム制御インストラクションにしたがって前記コンピューティング装置のシステム制御を開始する制御開始手段とを有する。
【０００８】
本発明の一実施形態において、システム制御インストラクションは、コンピューティング装置のソフト・シャットダウンを行うインストラクションを含む。システム制御インストラクションは、ソフト・シャットダウン後にコンピューティング装置を再起動する再起動インストラクションを、さらに、含む。
【０００９】
本発明の別の実施形態において、携帯形記憶装置は不揮発性データ記憶装置を含み、記憶媒体インターフェイスは不揮発性データ記憶装置に保存されたデータにアクセスする手段を、さらに、含む。携帯形記憶装置は、ユニバーサル・シリアル・バス・インターフェイスを有するデータ記憶装置、またはスマート・カード、またはフラッシュ・メモリ記憶装置、またはディスク記憶装置である。
【００１０】
本発明のさらに別の実施形態において、記憶媒体インターフェイスは、磁気的データ記憶装置からなる不揮発性データ記憶装置を受け取る磁気カード読取装置で構成されている。磁気カード読取装置は、クレジット・カードからのデータにアクセスする。
【００１１】
本発明のさらに他の実施形態において、システム制御インストラクション識別手段は、システム制御インストラクションに関連付けられた予め選択されたコードを表すコード・データを保存する記憶手段を含む。さらに、システム制御インストラクション識別手段は、携帯形記憶装置に関連するデータをコード・データと比較する比較手段と、この比較手段の出力にしたがってシステム制御インストラクションを識別する手段とを含む。少なくとも１つの予め選択されたコードは、予め定められたフォーマットでクレジット・カードの磁性体の帯に保存されている。
【００１２】
また、本発明による携帯形記憶装置を用いてコンピューティング装置のシステム制御を行う方法は、コンピューティング装置に関連付けられた記憶媒体インターフェイスによって携帯形記憶装置の存在を検出するステップと、このステップによって検出された携帯形記憶装置とコンピューティング装置と間のデータ通信を記憶媒体インターフェイスによって開始するステップと、コンピューティング装置と検出された携帯形記憶装置との間のデータ通信にしたがってシステム制御インストラクションを識別するステップと、このステップによって識別されたシステム制御インストラクションにしたがって前記コンピューティング装置のシステム制御を開始するステップとを含む。
【発明の効果】
【００１３】
本発明によれば、キー操作を行うことなくコンピューティング装置のシステム制御を可能とするシステムおよび方法が提供される。
【発明を実施するための最良の形態】
【００１４】
以下、適宜、図面を参照しながら本発明による実施形態の説明を行う。図１は本発明による実施形態による携帯形記憶装置を用いてコンピューティング装置のシステム制御を行うシステム全体の構成例を示す。図に示したシステム１００は、コンピュータ・ネットワーク１０２として表されている分散コンピューティング環境を利用している。コンピュータ・ネットワーク１０２は、複数の電子装置間におけるデータの交換を可能とする本技術分野で知られている任意の分散通信システムである。コンピュータ・ネットワーク１０２は、例えば、仮想ローカル・エリア・ネットワーク、ワイド・エリア・ネットワーク、パーソナル・エリア・ネットワーク、ローカル・エリア・ネットワーク、インターネット、イントラネット、またはそれらの任意の組み合わせを含む本技術分野で知られている任意のコンピュータ・ネットワークである。本発明による一実施形態において、コンピュータ・ネットワーク１０２は、例えば、トークン・リング、IEEE802.11(x)、Ethernet（登録商標）またはその他の無線ベースまたは有線ベースのデータ通信メカニズム等の既存の多数のデータ転送メカニズムによって例示されるような物理レイヤおよびトランスポート・レイヤから構成される。図にはコンピュータ・ネットワーク１０２を示したが、本発明は、本技術分野で知られているスタンドアローンのシステムにも同様に適用される。
【００１５】
システム１００は、さらに、様々なドキュメント処理を実行するために適切な多機能周辺装置（Multi-Function Peripheral；以下、ＭＦＰということがある。）として図に表されている、ドキュメント処理装置１０４を含む。しかし、ＭＦＰはドキュメント処理装置の一形態であって、本発明におけるドキュメント処理装置がＭＦＰに限定されるものではない。ドキュメント処理装置における処理動作には、例えば、ファクシミリ通信、画像走査、コピー、印刷、電子メール、ドキュメント管理、ドキュメント保存等の処理動作がある。本発明による一形態においては、ドキュメント処理装置１０４は、リモート・ドキュメント処理サービスを外部装置あるいはネットワーク装置に対して提供する。ドキュメント処理装置１０４は、ユーザあるいはネットワークに接続された装置等とやり取りするように構成された、ハードウェア、ソフトウェアおよびこれらの任意の適切な組み合わせを含んでいる。ドキュメント処理装置１０４の構成等については、後ほど図２と図３を参照しながら説明を行う。
【００１６】
また、本発明による一実施形態において、ドキュメント処理装置１０４は、例えば、IEEE 1394インターフェイスあるいはユニバーサル・シリアル・バス（以下、ＵＳＢと言うことがある）インターフェイスを有する各種ドライブ、ＳＤ、ＭＭＣ、ＸＤ、コンパクト・フラッシュ、メモリ・スティック等の、複数の携帯形記憶媒体を受け入れるためのインターフェイスを備える。本発明の実施形態においては、ドキュメント処理装置１０４は、さらに、タッチ・スクリーン・インターフェイス、ＬＣＤ、タッチ・パネルまたは英数字キー・パッド等のユーザ・インターフェイス１０６を備え、ユーザは、このようなユーザ・インターフェイスを介してドキュメント処理装置１０４と直接やり取りすることができる。ユーザ・インターフェイス１０６は、ユーザに対して情報を伝達するとともに、ユーザから選択内容を受け取るために有効に用いられる。ユーザ・インターフェイス１０６は、本技術分野で知られているように、ユーザにデータを提示するように適切に適合された様々なコンポーネントを含む。本発明の一実施形態によれば、ユーザ・インターフェイス１０６は、後ほど説明するように、１つまたは複数のグラフィック要素、テキスト・データ、画像等をユーザに表示し、ユーザから入力情報を受け取り、ユーザから受け取った入力情報をコントローラ１０８等のバックエンド・コンポーネントに伝達するように適合された表示装置を備える。ドキュメント処理装置１０４は、通信リンク１１２を介して、コンピュータ・ネットワーク１０２に通信可能に接続されている。適切な通信リンク１１２としては、例えば、WiMax（Worldwide Interoperability for Microwave Access）、IEEE802.11a、IEEE802.11b、IEEE802.11g、IEEE802.11(x)、Bluetooth（登録商標）、公衆交換電話網、専用通信ネットワーク、赤外線接続、光接続、または本技術分野において知られている他の適切な有線または無線のデータ通信チャネルがある。
【００１７】
本発明による実施形態において、ドキュメント処理装置１０４は、さらに、コントローラ１０８として示され、ドキュメント処理装置１０４による処理動作を容易にする適切なバックエンド・コンポーネントを内蔵している。コントローラ１０８は、例えば、ドキュメント処理装置１０４の動作の制御、あるいはユーザ・インターフェイス１０６による画像の表示、または電子画像データの操作の指示等の処理を容易にするように構成された、ハードウェア、ソフトウェアあるいはこれらの適切な組み合わせによって実装される。以下の説明においては、コントローラ１０８という用語は、後述する動作を実行し、もしくは実行させ、もしくは制御し、または指示する機能を有する、ハードウェア、ソフトウェア、またはこれらの組み合わせを含むドキュメント処理装置１０４と関連する任意の多数のコンポーネントの意味で使用する。なお、図および上記の説明において、コントローラ１０８をドキュメント処理装置１０４に内蔵された形態としたが、コントローラ１０８は、ドキュメント処理装置１０４に通信可能に接続された外部装置の形態であってもよい。コントローラ１０８との関連において説明を行う動作は、本技術分野において知られている任意の汎用コンピューティング・システムによって実行可能である。したがって、コントローラ１０８は、そのような汎用コンピューティング装置を表しており、以下の説明において使用する際にも、そのように意図されている。また、以下の説明においてはコントローラ１０８を使用しているが、これは実施形態の例にすぎず、その他の実施形態においても、本発明による携帯形記憶装置を用いてコンピューティング装置のシステム制御を行うシステムおよび方法を利用することができる。コントローラ１０８の構成等については、後ほど図４と図５を参照しながら説明を行う。
【００１８】
また、ドキュメント処理装置１０４にはデータ記憶装置１１０が通信可能に接続されている。データ記憶装置１１０は、例えば、ハードディスク・ドライブ、その他の磁気記憶装置、光学式記憶装置、フラッシュ・メモリまたはそれらの任意の組み合わせを含む本技術分野で知られている大容量記憶装置である。一実施形態においては、データ記憶装置１１０は、ドキュメント・データ、画像データ、電子データベースのデータ等を保存するように適切に適合されている。データ記憶装置１１０は、図においてはシステム１００の独立したコンポーネントとして例示されているが、例えば、内蔵ハードディスク・ドライブ等のような、ドキュメント処理装置１０４の内部記憶装置、あるいはコントローラ１０８のコンポーネント等として実装することができる。また、本発明の一実施形態によれば、データ記憶装置１１０は、画像、グラフィック要素、ギフト・カード・フォーマットおよびフォント等を保存することができる。
【００１９】
システム１００は、ドキュメント処理装置１０４と通信可能に接続され、また実質的にコンピュータ・ネットワーク１０２と通信可能に接続されたキオスク装置１１４を、さらに、含む。キオスク装置１１４は、ドキュメント処理装置１０４とは別のコンポーネントとして実装されてもよく、ドキュメント処理装置１０４と一体的なコンポーネントとして実装されてもよい。図に示したキオスク装置１１４の使用は単なる例示であり、本発明はキオスク装置を使用することなく実施することもできる。本発明による一実施形態において、キオスク装置１１４は、ユーザ・インターフェイス、表示装置１１６（以下では表示装置１１６という）と携帯形媒体読取装置１１８を含む。本発明による実施形態において、携帯形媒体読取装置１１８は、記憶媒体インターフェイスである。また、本発明による実施形態において、表示装置１１６は、本技術分野で知られている任意のタッチ・スクリーン・インターフェイスを表し、ドキュメント処理状況における表示装置１１６の使用は単なる例示目的にすぎない。ドキュメント処理分野以外の本発明の用途には、例えば、空港におけるチェックイン・キオスク装置、図書館キオスク装置、インターネット・キオスク装置、商品キオスク装置、または他のその類のタッチ・スクリーン実施形態がある。
【００２０】
本発明による一実施形態において、キオスク装置１１４は、例えば、ユーザへの指示メッセージの表示、ユーザからのインストラクションの受け取り、支払データの受け取り、およびユーザからの選択データの受け取り等を行う。キオスク装置１１４は、例えば、磁気的データ記憶装置、ＵＳＢインターフェイスを有する記憶装置、スマート・カード、フラッシュ・メモリ記憶装置、ディスク記憶装置、不揮発性記憶装置、またはクレジット・カード等の携帯形記憶装置を受け入れるためのインターフェイスを備える。したがって、このような実施形態においては、携帯形媒体読取装置１１８としては、携帯形記憶装置からデータを受け取り、読み出す、例えば、磁気カード読取装置、または従来からあるバーコード読取装置等がある。
【００２１】
また、システム１００は、通信リンク１２２を介してコンピュータ・ネットワーク１０２とデータ通信可能に接続されたユーザ装置１２０を含む。図においてはユーザ装置１２０をノート形パーソナル・コンピュータとして示しているが、これは例示にすぎない。ユーザ装置１２０は、例えば、コンピュータ・ワークステーション、デスクトップ形パーソナル・コンピュータ、携帯情報端末（ＰＤＡ）、ウェブ適合（web-enabled）携帯電話、スマートフォン、専用通信ネットワーク用の装置またはその他のウェブ適合電子装置を含む本技術分野において知られている任意のパーソナル・コンピューティング装置を表している。通信リンク１２２は、例えば、Bluetooth（登録商標）、WiMax、IEEE802.11a、IEEE802.11b、IEEE802.11g、IEEE802.11(x)、専用通信ネットワーク、赤外線接続、光接続、公衆交換電話網、または本技術分野において知られている他の適切な有線または無線のデータ通信チャネルである。ユーザ装置１２０は、電子ドキュメント、ドキュメント処理インストラクション、ユーザ・インターフェイスの修正、アップグレード、更新またはパーソナル化データ等を生成し、ドキュメント処理装置１０４、またはコンピュータ・ネットワーク１０２に接続された他の類似の装置に送信する。本発明の一実施形態において、ユーザ装置１２０には、ドキュメント処理装置１０４等とセキュリティ面で安全にやり取りするために適切なウェブ・ブラウザ・アプリケーションがインストールされている。また、ユーザ装置１２０を、そのユーザが、ドキュメント処理装置１０４の動作に関連する使用のために、携帯形記憶装置に保存されたデータにアクセスし、そのデータを削除し、閲覧し、または他の方法で修正することができる、管理装置として実装することができる。
【００２２】
次に、図２および図３を参照しながら、本発明による実施形態におけるシステムの動作が実行されるドキュメント処理装置のハードウェアおよび機能構成等を説明する。図２に本発明による実施形態においてシステム１００の動作が実行され、図１ではドキュメント処理装置１０４として表した、ドキュメント処理装置２００のハードウェア・アーキテクチャの構成例を示す。ドキュメント処理装置２００には、一つのＣＰＵから構成されるプロセッサ２０２が含まれる。プロセッサ２０２は、互いに協調して動作する複数のＣＰＵから構成されることもある。また、ドキュメント処理装置２００には、ＢＩＯＳ機能、システム機能、システム構成データおよびドキュメント処理装置２００の動作に使用するその他のルーチンもしくはデータ等の静的または固定的なデータ、あるいはインストラクションのために有効に使用される、不揮発性または読出し専用メモリ（ＲＯＭ）２０４が含まれる。
【００２３】
また、ドキュメント処理装置２００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ２０６が含まれている。ＲＡＭ２０６は、プロセッサ２０２によって処理されるアプリケーションおよびデータ処理に関係するデータ・インストラクションのための記憶領域を提供する。
【００２４】
ストレージ・インターフェイス２０８は、ドキュメント処理装置２００に関連するデータの不揮発性保存、大容量保存または長期的な保存ためのメカニズムを提供する。ストレージ・インターフェイス２０８は、参照符号２１６で示したディスク・ドライブ、あるいは光学式ドライブ、テープ・ドライブ等の適切な任意のアドレス指定可能、またはシリアル記憶装置等の大容量記憶装置の他、当業者に知られている適切な任意の記憶媒体を使用する。
【００２５】
ネットワーク・インターフェイス・サブシステム２１０は、ネットワークとの間の入出力を適切にルーティングすることによって、ドキュメント処理装置２００が他の装置と通信することを可能にする。ネットワーク・インターフェイス・サブシステム２１０は、ドキュメント処理装置２００の外部装置との一つまたは複数のコネクションを確立する。図においては、一例として、Ethernet（登録商標）およびトークン・リング等といった固定または有線ネットワークとのデータ通信のための少なくとも一つのネットワーク・インターフェイス・カード２１４、およびWiFi、WiMax、無線モデム、セルラ・ネットワークまたは適切な任意の無線通信システム等の手段を介した無線通信のために適切な無線インターフェイス２１８を示している。ネットワーク・インターフェイス・サブシステム２１０は、任意の物理的データ転送レイヤあるいは物理的データ転送レイヤではないデータ転送レイヤまたはプロトコル・レイヤを適切に利用する。図においては、ネットワーク・インターフェイス・カード２１４は、例えば、ローカル・エリア・ネットワーク、ワイド・エリア・ネットワークまたはこれらの組合せから適切に構成される物理的ネットワーク２２０を介したデータ交換を行うために、相互接続されている。
【００２６】
プロセッサ２０２、読出し専用メモリ（ＲＯＭ）２０４、ＲＡＭ２０６、ストレージ・インターフェイス２０８およびネットワーク・インターフェイス・サブシステム２１０の間のデータ通信は、バス２１２によって例示したバス・データ転送メカニズムを介して行われる。
【００２７】
ドキュメント処理装置２００における実行可能なインストラクションは、ワークステーション、他のドキュメント処理装置、サーバ等の複数の外部装置との通信を容易にする。動作の際、典型的な装置は自立的に動作するが、しばしば、ローカル・ユーザによる直接的な制御が望ましい場合もある。ローカル・ユーザによる直接的な制御は、ユーザ入出力（Ｉ／Ｏ）パネル２２４へのオプションの入出力（Ｉ／Ｏ）インターフェイス２２２を介して実行することができる。
【００２８】
また、１つまたは複数のドキュメント処理エンジンへのインターフェイスも、バス２１２を介してデータ通信を行う。図に示した実施形態においては、印刷インターフェイス２２６、コピー・インターフェイス２２８、画像走査インターフェイス２３０およびファクシミリ・インターフェイス２３２は、それぞれ、印刷エンジン２３４、コピー・エンジン２３６、画像走査エンジン（スキャナ）２３８、およびファクシミリ・エンジン２４０との通信を容易にする。ドキュメント処理装置２００は、１つまたは複数のドキュメント処理機能を適切に実行する。複数のドキュメント処理動作を実行するシステムは、前述したように、通常、多機能周辺装置（ＭＦＰ）または多機能装置と呼ばれる。
【００２９】
次に図３を参照しながらシステムの動作が実行され、図１においてはドキュメント処理装置１０４として示した、ドキュメント処理装置の機能ブロックを説明する。図３に、本発明による実施形態のシステム１００の動作が実行されるドキュメント処理装置３００の機能ブロックの構成例を示す。図３は、ソフトウェアおよびオペレーティング・システム機能と関連して、図２に示したハードウェアの機能性を例示している。
【００３０】
ドキュメント処理装置３００は、１つまたは複数のドキュメント処理動作を円滑に実行するドキュメント処理エンジン３０２を含む。ドキュメント処理エンジン３０２は、印刷エンジン３０４、ファクシミリ・エンジン３０６、画像走査エンジン（スキャナ）３０８およびコンソール・パネル３１０を含む。印刷エンジン３０４は、ドキュメント処理装置３００に伝達された電子ドキュメントを、物理的なドキュメント、すなわちハードコピーの出力を可能とする。ファクシミリ・エンジン３０６は、ファクシミリ・モデム等の装置を介して、外部のファクシミリ装置との間で相互にファクシミリ通信を行う。
【００３１】
画像走査エンジン（スキャナ）３０８は、ハードコピー・ドキュメントを受け取り、このハードコピー・ドキュメントに対応する画像データに変換するように機能する。コンソール・パネル３１０等のユーザ・インターフェイスは、ユーザからのインストラクションの入力と、ユーザへの情報の表示を可能にする。画像走査エンジン３０８は、有形のドキュメントの入力を、ビットマップ・フォーマット、ベクター・フォーマットまたはページ記述言語（ＰＤＬ）フォーマットの電子的な形態へ変換し、さらに、光学文字認識のためにも構成されている。また、有形のドキュメントの画像走査は、ファクシミリ動作においても有効に機能する。
【００３２】
図に示したドキュメント処理エンジン３０２は、ドライバ３２６を介したネットワークとのインターフェイス３１６も備え、例えばネットワーク・インターフェイス・カードから構成されている。ネットワークは、有線、無線あるいは光によるデータ通信のような任意の適切な物理的レイヤおよび物理的でないレイヤによって、十分なやり取りを実現している。
【００３３】
ドキュメント処理エンジン３０２は、１つまたは複数のデバイス・ドライバ３１４と適切な通信を行う。デバイス・ドライバ３１４は、実際のドキュメント処理動作を実行するために、ドキュメント処理エンジン３０２と、１つまたは複数の物理的装置との間のデータ交換を可能とする。このようなドキュメント処理動作には、ドライバ３１８による印刷、ドライバ３２０によるファクシミリ通信、ドライバ３２２による画像走査、およびドライバ３２４によるユーザ・インターフェイス機能の中の１つまたは複数のものが含まれる。これらの多様な装置は、ドキュメント処理エンジン３０２と関連する１つまたは複数の対応したエンジンと結合されている。本発明においては、ドキュメント処理動作の任意のセットまたはサブセットが想定されている。複数の利用可能なドキュメント処理選択肢を含むドキュメント処理装置はＭＦＰと呼ばれている。
【００３４】
次に、図４および図５を参照しながら、本発明による実施形態におけるシステムの動作が実行されるコントローラのハードウェアおよび機能構成等を説明する。図４に本発明による実施形態においてシステム１００の動作が実行されるバックエンド・コンポーネント、すなわち、図１においてはコントローラ１０８として示した、コントローラ４００のハードウェア・アーキテクチャの構成例を説明するための図を示す。尚、図においては、コントローラの構成要素の意義をより明確にするため、参照符号４３２で表した、コントローラ以外のドキュメント処理装置の構成要素の一部を併せて示している。コントローラ４００は、本明細書に記載する動作を円滑に実行する能力を有する、本技術分野において知られている任意の汎用コンピューティング装置を表している。コントローラ４００には、少なくとも一つのＣＰＵを含むプロセッサ４０２が含まれる。プロセッサ４０２は、互いに協調して動作する複数のＣＰＵから構成されることもある。また、コントローラ４００には、ＢＩＯＳ機能、システム機能、システム構成データおよびコントローラ４００の動作に使用されるその他のルーチンもしくはデータ等の静的または固定的なデータ、あるいはインストラクションのために有効に使用される、不揮発性または読出し専用メモリ（ＲＯＭ）４０４が含まれる。
【００３５】
また、コントローラ４００には、ダイナミック・ランダム・アクセス・メモリ、スタティック・ランダム・アクセス・メモリ、または他の任意の適切なアドレス指定可能かつ書込み可能なメモリ・システムから構成されるＲＡＭ４０６が含まれる。ＲＡＭ４０６は、プロセッサ４０２によって処理されるアプリケーションおよびデータ処理に関係するデータ・インストラクションのための記憶領域を提供する。
【００３６】
ストレージ・インターフェイス４０８は、コントローラ４００に関連するデータの不揮発性保存、大容量保存または長期的な保存ためのメカニズムを提供する。ストレージ・インターフェイス４０８は、参照符号４１６で示したディスク・ドライブ、光学式ドライブ、あるいはテープ・ドライブ等の適切な任意のアドレス指定可能、またはシリアル記憶装置等の大量記憶装置の他、当業者に知られている適切な任意の記憶媒体を使用する。
【００３７】
ネットワーク・インターフェイス・サブシステム４１０は、ネットワークとの間の入出力を適切にルーティングすることによって、コントローラ４００が他の装置と通信することを可能にする。ネットワーク・インターフェイス・サブシステム４１０は、コントローラ４００に対する外部装置との一つまたは複数のコネクションのインターフェイスを適切にとる。図においては、例えば、Ethernet（登録商標）、トークン・リング等といった固定または有線ネットワークとのデータ通信のための少なくとも一つのネットワーク・インターフェイス・カード４１４、およびWiFi（Wireless Fidelity）、WiMax、無線モデム、セルラ・ネットワークまたは適切な任意の無線通信システム等の手段を介した無線通信のために適切な無線インターフェイス４１８とを示している。ネットワーク・インターフェイス・サブシステム４１０は、任意の物理的データ転送レイヤあるいは物理的データ転送レイヤではないデータ転送レイヤまたはプロトコル・レイヤを適切に利用する。図においては、ネットワーク・インターフェイス・カード４１４は、例えば、ローカル・エリア・ネットワーク、ワイド・エリア・ネットワークまたはそれらの組合せから適切に構成される物理的ネットワーク４２０を介したデータ交換を行うために、相互接続されている。
【００３８】
プロセッサ４０２、読出し専用メモリ（ＲＯＭ）４０４、ＲＡＭ４０６、ストレージ・インターフェイス４０８およびネットワーク・インターフェイス・サブシステム４１０の間のデータ通信は、バス４１２によって例示したバス・データ転送メカニズムを介して行われる。
【００３９】
また、ドキュメント・プロセッサ・インターフェイス４２２もバス４１２を介してデータ通信を行う。ドキュメント・プロセッサ・インターフェイス４２２は、様々なドキュメント処理動作を実行するために、ドキュメント処理ハードウェア４３２との接続を提供する。そのようなドキュメント処理動作には、コピー・ハードウェア４２４によって実行されるコピー、画像走査ハードウェア４２６によって実行される画像走査、印刷ハードウェア４２８によって実行される印刷、およびファクシミリ・ハードウェア４３０によって実行されるファクシミリ通信がある。コントローラ４００は、これらのドキュメント処理動作のいずれかまたは全部を適切に動作させる。複数のドキュメント処理動作を実行可能なシステムは、前述したように、ＭＦＰまたは多機能装置と呼ばれる。システム１００の機能は、ドキュメント処理装置と関連するインテリジェント・サブシステムとして図４に示したコントローラ４００（図１においてはコントローラ１０８として示されている。）を含む、ドキュメント処理装置１０４等の適切なドキュメント処理装置において実行される。
【００４０】
次に図５を参照しながらシステムの動作が実行されるコントローラの機能ブロックと動作の概要を説明する。図５に、本発明による実施形態のシステム１００の動作が実行されるコントローラの機能ブロックの構成例を説明するための図を示す。尚、図５においても、コントローラの機能要素の意義をより明確にするため、コントローラ以外のドキュメント処理装置の機能要素の一部を併せて示している。図５は、ソフトウェアおよびオペレーティング・システム機能と関連して、図４に示したハードウェアの機能性を例示している。
【００４１】
コントローラの機能は、ドキュメント処理エンジン５０２を含む。一実施形態において、ドキュメント処理エンジン５０２は、印刷動作、コピー動作、ファクシミリ通信動作および画像走査動作を可能にする。これらの機能が一つの装置で実行できる装置は、業界において一般に好まれているドキュメント処理周辺装置であるＭＦＰである。しかし、コントローラが上記のドキュメント処理動作のすべてを可能にする必要は必ずしもない。コントローラは、上記のドキュメント処理動作の一部を実行する専用のドキュメント処理装置、あるいはより限定した目的のドキュメント処理装置においても有効に用いられる。
【００４２】
ドキュメント処理エンジン５０２はユーザ・インターフェイス・パネル５１０と適切にインターフェイスされている。ユーザまたは管理者は、このユーザ・インターフェイス・パネル５１０を介して、ドキュメント処理エンジン５０２によって制御される機能にアクセスすることができる。アクセスは、コントローラにローカルに接続されているインターフェイスを介して行われるか、または遠隔のシン・クライアント（thin client）もしくはシック・クライアント（thick client）によって遠隔から行われる。
【００４３】
ドキュメント処理エンジン５０２は、印刷機能部５０４、ファクシミリ通信機能部５０６および画像走査機能部５０８とデータ通信を行う。これらの機能部は、印刷、ファクシミリの送受信、およびドキュメント画像をコピーのために取得するか、またはドキュメント画像の電子バージョンを生成するための、ドキュメント画像走査の実際の処理動作を容易にする。
【００４４】
ジョブ・キュー（job queue）５１２は、印刷機能部５０４、ファクシミリ通信機能部５０６および画像走査機能部５０８とデータ通信を行う。ビットマップ・フォーマット、ページ記述言語（ＰＤＬ）フォーマットまたはベクター・フォーマット等の種々の画像形式は、画像走査機能部５０８からジョブ・キュー５１２を介して以降の処理のために中継される。
【００４５】
ジョブ・キュー５１２は、また、ネットワーク・サービス機能部５１４ともデータ通信を行う。一実施形態において、ジョブ制御、状態データまたは電子ドキュメント・データが、ジョブ・キュー５１２とネットワーク・サービス機能部５１４との間で交換される。このように、適切なインターフェイスが、クライアント側ネットワーク・サービス機能５２０を介したコントローラ機能へのネットワーク・ベースのアクセスのために設けられており、このインターフェイスは、任意の適切なシン・クライアントまたはシック・クライアントである。一実施形態において、ウェブ・サービス・アクセスは、ハイパーテキスト転送プロトコル（HTTP）、ファイル転送プロトコル（FTP）、ユニフォーム・データ・ダイアグラム・プロトコルまたは他の任意の適切な交換メカニズムによって実行される。ネットワーク・サービス機能部５１４は、また、ＦＴＰ、電子メール、あるいはテルネット（TELNET）等による通信のために、クライアント側ネットワーク・サービス機能５２０とのデータ交換も有効に提供する。このように、コントローラ機能は、種々のネットワーク・アクセス・メカニズムによって、電子ドキュメントおよびユーザ情報の出力あるいは受信を容易にする。
【００４６】
ジョブ・キュー５１２は、また、画像プロセッサ５１６ともデータ通信を行う。画像プロセッサ５１６は、印刷機能部５０４、ファクシミリ通信機能部５０６または画像走査機能部５０８等の装置機能部と、電子ドキュメントを交換するために適したフォーマットに変換するラスタ画像処理（ＲＩＰ）、ページ記述言語インタープリタまたは任意の適切な画像処理を行うメカニズムである。
【００４７】
さらに、ジョブ・キュー５１２は、ジョブ解析部（job parser）５１８とデータ通信を行い、このジョブ解析部５１８はクライアント装置サービス部５２２等の外部装置からの印刷ジョブ言語ファイルを受け取る働きをする。クライアント装置サービス部５２２は、電子ドキュメントの印刷、ファクシミリ通信、またはコントローラ機能による処理が有効である他の適切な電子ドキュメントの入力を含む。ジョブ解析部５１８は、受け取った電子ドキュメント・ファイルを解析し、前述した機能およびコンポーネントと関連する処理のために、解析した電子ドキュメント・ファイル情報をジョブ・キュー５１２に中継する働きをする。
【００４８】
以下、本発明における動作の概要を説明する。先ず、コンピューティング装置に関連付けられた記憶媒体インターフェイスが、そのインターフェイスに挿入あるいは装着されている携帯形記憶装置の存在を検出する。本発明による一実施形態において、記憶媒体インターフェイス１１８を備えるキオスク装置１１４がコンピューティング装置である。次に、コンピューティング装置と検出された携帯形記憶装置との間で、記憶媒体インターフェイスを介して、データ通信が開始される。次に、コンピューティング装置と検出された携帯形記憶装置と間のデータ通信にしたがって、システム制御インストラクションが識別される。次に、識別されたシステム制御インストラクションにしたがって、コンピューティング装置に対するシステム制御が開始される。
【００４９】
本発明の１つの例示的実施形態によれば、キオスク装置１１４、キオスク装置とデータ通信可能なドキュメント処理装置１０４のコントローラ１０８、またはユーザ装置１２０等のコンピューティング装置は、コンピューティング装置に関連するシステム制御インストラクションに対応する予め選択されたコードを受け取る。この例示的実施形態の説明においては、以降、コンピューティング装置としてキオスク装置１１４について言及する。このような実施形態において、キオスク装置１１４は、通常動作中に、例えば、コントローラ１０８、データ記憶装置１１０、ユーザ・インターフェイス１０６等のドキュメント処理装置１０４のリソースを使用することができる。予め選択されたコードとしては、例えば、テキスト文字列、文字数字列、例えば１６桁の数のような数字列、あるいは電子手段によって読み出すことができるこれらの任意の適切な組み合わせ等、本技術分野で知られている任意の機械可読データがある。
【００５０】
次に、コードおよびそのコードに関連するシステム制御インストラクションは、キオスク装置１１４と関連付けられた、例えばデータ記憶装置１１０のような、記憶装置に保存される。本発明の一実施形態によれば、システム制御インストラクションは、例えば、ハード・シャットダウン、ソフト・シャットダウン、再起動、アプリケーション・シャットダウン等のインストラクションを含むことができる。キオスク装置１１４は、予め選択されたコードと対応するシステム制御インストラクションを保存した後、通常動作を開始する準備が整う。したがって、図１に示したようにドキュメント処理装置１０４と関連付けられている場合、キオスク装置１１４は、ユーザ要求に対応するドキュメント処理動作を受け取り処理する準備ができる。空港チケット処理と関連付けられている場合には、キオスク装置１１４は、チケット処理動作を開始する準備ができる。その類の他の動作は、キオスク装置が実装された環境に応じて開始する。
【００５１】
キオスク装置１１４が、記憶媒体インターフェイス１１８によって、例えば、ＵＳＢインターフェイスを有する記憶装置、フラッシュ・メモリ・カード、スマート・カード、磁気ストリップ・カード（クレジット・カード）、または他の記憶媒体等の、携帯形記憶装置を検出したとき、キオスク装置１１４は検出された携帯形記憶装置にアクセスし、関連するデータを読み出す。次に、キオスク装置１１４は、例えば、データ記憶装置１１０、システム・メモリ等の関連する記憶装置から、保存されている予め選択されたコードを読み出す。次に、携帯形記憶装置から読み出したデータを、関連する記憶装置から読み出したコードと比較する。携帯形記憶装置から読み出したデータと、関連する記憶装置から読み出したコードが一致しないときには、キオスク装置１１４は通常動作を続ける。例えば、携帯形記憶装置にアクセスし、読み出したデータが、ドキュメント処理装置１０４による出力のための電子ドキュメントに対応するときには、そのデータは関連する記憶装置から読み出したコードに一致しないため、キオスク装置１１４は通常動作を続ける。
【００５２】
携帯形記憶装置から読み出したデータと、関連する記憶装置から読み出したコードが一致したときには、キオスク装置１１４は、そのコードに対応するシステム制御インストラクションを識別する。システム制御インストラクションがハード・シャットダウン・コマンドに対応する場合には、キオスク装置１１４は、そのインストラクションを実行し、キオスク装置１１４はハード・シャットダウンされる結果となる。すなわち、例えばユーザによって復旧されるまで、キオスク装置１１４の電源を切断する。キオスク装置１１４によって識別されたシステム制御インストラクションが、ソフト・シャットダウンした後、システムを再起動するコマンドに対応するときには、キオスク装置１１４はソフト・シャットダウンを実行し再起動する。再起動すると、キオスク装置１１４は、再起動が実行される環境にしたがって通常動作を開始する。例えば、キオスク装置１１４の通常動作中、例えば、アプリケーションのエラー、またはハードウェアのエラー等の、予期しないエラーが発生し、その結果キオスク装置１１４が応答しなくなる可能性がある。そのような場合、管理ユーザは、キオスク装置１１４のユーザあるいはキオスク装置１１４からの連絡によってエラーの通知を受け、アカウント番号またはコードが保存されている磁気カード（クレジット・カード）を磁気カード読取装置に通し、磁気カードに保存されているデータを読み出す。本発明による一実施形態において、予め選択されたコードは、予め定められたフォーマットでクレジット・カードの磁性体の帯に保存されている。次に、キオスク装置１１４は、例えば、データ記憶装置１１０等の、関連する記憶装置からコードを読み出し、クレジット・カードからのコードを、記憶装置から読み出したコードと比較する。一致した場合は、記憶装置から読み出したコードに関連付けられたシステム制御インストラクションが実行され、キオスク装置１１４は、ソフト・シャットダウンを実行し再起動する。その後、キオスク装置１１４およびドキュメント処理装置１０４は、要求されるドキュメント処理動作を実行する準備が整う。
【００５３】
以上、図１ないし図５を参照しながら本発明による実施形態であるシステム１００および関連するコンポーネントに関して説明を行ったが、図６および図７を参照しながら以降行う説明によって、システム１００および関連するコンポーネントの動作をより良く理解されるであろう。図６に、本発明による実施形態において、携帯形記憶装置を用いてコンピューティング装置のシステム制御を行う基本的な動作例を表すフローチャートを示す。先ず、Ｓ６０２で、コンピューティング装置に関連付けられた記憶媒体インターフェイス、例えば、キオスク装置１１４と関連付けられた媒体インターフェイス１１８によって、そのインターフェイスに挿入あるいは装着されている携帯形記憶装置の存在が検出される。キオスク装置１１４は、本発明の一実施形態によるコンピューティング装置を表す。本発明の一実施形態によれば、携帯形記憶装置は、不揮発性データ記憶装置を含み、記憶媒体インターフェイス１１８は、不揮発性データ記憶装置に保存されているデータにアクセスするように構成されている。そのような不揮発性データ記憶装置としては、例えば、磁気的データ記憶装置、クレジット・カード、ＵＳＢインターフェイスを有する記憶装置、フラッシュ・メモリ記憶装置、ディスク記憶装置、スマート・カード等がある。
【００５４】
その後、Ｓ６０４で、記憶媒体インターフェイス１１８を介して、携帯形記憶装置と、例えば、キオスク装置１１４のようなコンピューティング装置と間のデータ通信が開始される。例えば、携帯形記憶装置がクレジット・カードであるとき、記憶媒体インターフェイス１１８に関連付けられたクレジット・カード読取装置にクレジット・カードを通すことによって、クレジット・カードの磁性体の帯に保存されているデータがアクセスされる。次に、Ｓ６０６で、キオスク装置１１４と検出された携帯形記憶装置との間のデータ通信にしたがって、システム制御インストラクションが識別される。次にＳ６０８で、識別されたシステム制御インストラクションにしたがってキオスク装置１１４に対するシステム制御が開始される。
【００５５】
次に図７を参照しながら、本発明による実施形態において、携帯形記憶装置を用いてコンピューティング装置のシステム制御を行う動作をさらに詳細に説明する。図７に、本発明による実施形態において、携帯形記憶装置を用いてコンピューティング装置のシステム制御を行う動作例をさらに詳細に表したフローチャートを示す。先ず、Ｓ７０２で、キオスク装置１１４は、キオスク装置に関連するシステム制御インストラクションに対応する予め選択されたコードを受け取る。キオスク装置１１４は、そのような予め選択されたコードを、キオスク装置１１４、ドキュメント処理装置１０４、またはユーザ装置１２０等のユーザから受け取ることができる。システム制御インストラクションは、予め選択されたコードを受け取ったときにキオスク装置１１４によって実行される動作コマンドに対応する。そのようなインストラクションとしては、例えば、ハード・シャットダウン、ソフト・シャットダウン、再起動、アプリケーション終了等のインストラクションがある。
【００５６】
次にＳ７０４で、予め選択されたコード、およびそのコードに関連付けられたシステム制御インストラクションが、関連する記憶装置に保存される。本発明のドキュメント処理の実施形態に対応する図１に示したように、キオスク装置１１４は、予め選択されたコードおよび対応するシステム制御インストラクションを、キオスク装置１１４がデータ通信を行うドキュメント処理装置１０４に関連するデータ記憶装置１１０に、容易に保存することができる。Ｓ７０６で、キオスク装置１１４は通常動作を開始する。すなわち、ドキュメント処理の状況の範囲内で、キオスク装置１１４は、ドキュメント処理装置１０４の動作に関するユーザ対話を受け入れる準備が整う。
【００５７】
次にＳ７０８で、携帯形記憶装置を検出したか否かが判断される。すなわち、例えば、記憶媒体インターフェイスが、磁気的データ記憶装置等からなる不揮発性データ記憶装置を受け取る磁気カード読取装置等で構成されている場合に、ユーザが、携帯形記憶装置を記憶媒体インターフェイス１１８に挿入、または装着し、磁気カード（クレジット・カード）またはスマート・カード等をカード読取装置に通したか否か等が判断される。携帯形記憶装置が検出されないときには、処理はＳ７０６に戻り、通常動作が続く。Ｓ７０８で、携帯形記憶装置が検出されたと判断されると、処理はＳ７１０に進み、キオスク装置１１４は携帯形記憶装置に関連するデータにアクセスし、そのデータを読み出す。携帯形記憶装置のデータにアクセスし、読み出した後、キオスク装置１１４は、Ｓ７１２で、データ記憶装置１１０またはシステム・メモリ等から保存されている予め選択されたコードを読み出す。次に、Ｓ７１４で、携帯形記憶装置から読み出したデータを、データ記憶装置１１０等から読み出したコードと比較する。
【００５８】
Ｓ７１６で、携帯装置から読み出したデータが記憶装置から読み出した予め選択されたコードと一致しているか否かを判断する。一致していないと判断されたときには、処理はＳ７０６に戻り、通常のドキュメント処理が継続する。例えば、携帯形記憶装置から読み出されたデータが、ユーザ識別データ、課金情報、電子ドキュメント等に対応する場合には、これらのデータは予め選択されたコードとは一致しないため、その結果、処理はＳ７０６に戻り、通常のドキュメント処理動作が続けられる。Ｓ７１６で、携帯装置から読み出したデータが記憶装置から読み出した予め選択されたコードと一致していると判断された場合は、処理はＳ７１８に進み、キオスク装置１１４は、一致した予め選択されたコードに対応するシステム制御インストラクションを識別する。次に、Ｓ７２０で、システム制御インストラクションがハード・シャットダウン・コマンドに対応するか否かを判断する。ハード・シャットダウン・コマンドが識別されたときには、処理はＳ７２６に進み、キオスク装置１１４がハード・シャットダウンされ、その後、処理は終了する。
【００５９】
Ｓ７２０で、識別されたシステム制御インストラクションが、キオスク装置１１４のハード・シャットダウンに対応しないと判断されると、Ｓ７２２で、キオスク装置１１４のソフト・シャットダウンが実行される。Ｓ７２２でキオスク装置１１４がソフト・シャットダウンされた後、処理はＳ７２４に進み、キオスク装置１１４は再起動される。Ｓ７２４で、キオスク装置１１４が再起動された後、処理はＳ７０６に戻り、キオスク装置１１４およびドキュメント処理装置１０４は、要求されるドキュメント処理動作を実行する準備が整う。
【００６０】
以上の説明から明らかなように、本発明によれば、携帯形記憶装置を用いることによって、キー操作を行うことなくコンピューティング装置のシステム制御を可能とするシステムおよび方法が提供される。また、本発明の一実施形態によれば、コンピューティング装置の制御されたシャットダウンまたは再起動を行うためのシステムおよび方法が提供される。さらに、本発明の一実施形態によれば、タッチ・スクリーンが主なユーザ・インターフェイスであり、キー入力手段を備えていないコンピューティング装置の制御されたシャットダウンまたは再起動を行うためのシステムおよび方法が提供される。
【００６１】
本発明は、ソース・コード、オブジェクト・コード、部分的にコンパイルされた形のようなコード中間ソースおよびオブジェクト・コードの形、あるいは本発明の実施形態で使用するために適した任意の他の形のコンピュータ・プログラムをも含む。コンピュータ・プログラムは、スタンドアローンのアプリケーション、ソフトウェア・コンポーネント、スクリプトまたは他のアプリケーションへのプラグ・インとすることができる。本発明を実施するコンピュータ・プログラムは、例えば、ＲＯＭやＲＡＭ等の記憶媒体、ＣＤ−ＲＯＭ等の光記録媒体、フロッピー（登録商標）ディスク等の磁気記録媒体等の、コンピュータ・プログラムを伝達することができる任意の実体または装置である担体上で具体化することができ、あるいは電気ケーブルまたは光ケーブルによって、または無線や他の手段によって伝えられる電気信号や光信号等の任意の担体によって伝達することができる。コンピュータ・プログラムは、サーバからインターネットを介してダウンロードすることもできる。また、コンピュータ・プログラムの機能は集積回路に組み込むこともできる。説明を行った本発明の原理を実質的にコンピュータまたはプロセッサに実行させるコードを含む任意およびすべての実施形態は、本発明の範囲内にある。
【００６２】
本発明の好ましい実施形態の以上の説明は、例示と説明のために行った。説明は網羅的ではなく、本発明を開示した形態に限定しようとするものでもない。以上の開示を鑑みて明らかな修正または変形が可能である。実施形態は、本発明の原理とその実際的な応用例を最もよく示し、それにより当業者が、本発明を、意図された特定の使用に適した様々な実施形態において様々な修正で使用できるように選択され説明された。そのようなすべての修正と変形は、特許請求の範囲の記載に明示されるとおりの本発明の原理および範囲内において、当業者によって行われ得ることは明らかであり、特許請求の範囲の記載によって定められる本発明の範囲内にある。
【図面の簡単な説明】
【００６３】
【図１】本発明による実施形態による携帯形記憶装置を用いてコンピューティング装置のシステム制御を行うシステム全体の構成例である。
【図２】本発明による実施形態のシステムの動作が実行されるドキュメント処理装置のハードウェアの構成例である。
【図３】本発明による実施形態のシステムの動作が実行されるドキュメント処理装置の機能ブロックの構成例である。
【図４】本発明による実施形態のシステムの動作が実行されるコントローラのハードウェアの構成例を説明するための図である。
【図５】本発明による実施形態のシステムの動作が実行されるコントローラの機能ブロックの構成例を説明するための図である。
【図６】本発明による実施形態において、携帯形記憶装置を用いてコンピューティング装置のシステム制御を行う基本的な動作例を表すフローチャートである。
【図７】本発明による実施形態において、携帯形記憶装置を用いてコンピューティング装置のシステム制御を行う動作例を詳細に表したフローチャートである。
【符号の説明】
【００６４】
１００  システム
１０２  コンピュータ・ネットワーク、分散通信システム
１０４  ドキュメント処理装置、ＭＦＰ
１０６  ユーザ・インターフェイス
１０８  コントローラ
１１０  データ記憶装置
１１２、１２２  通信リンク
１１４  キオスク装置
１１６  表示装置
１１８  携帯形媒体読取装置、記憶媒体インターフェイス
１２０  ユーザ装置
２００、３００  ドキュメント処理装置
２０２、４０２  プロセッサ
２０４、４０４  読出し専用メモリ、ＲＯＭ
２０６、４０６  ＲＡＭ
２０８、４０８  ストレージ・インターフェイス
２１０、４１０  ネットワーク・インターフェイス・サブシステム
２１２、４１２  バス
２１４、３１６、４１４  ネットワーク・インターフェイス・カード
２１６、４１６  ディスク・ドライブ
２１８、４１８  無線インターフェイス
２２０、４２０  物理的ネットワーク
２２２  オプションの入出力インターフェイス
２２４  ユーザ入出力パネル
２２６  印刷インターフェイス
２２８  コピー・インターフェイス
２３０  画像走査インターフェイス
２３２  ファクシミリ・インターフェイス
２３４、３０４  印刷エンジン
２３６  コピー・エンジン
２３８、３０８  画像走査エンジン
２４０、３０６  ファクシミリ・エンジン
３１０  コンソール・パネル
３１４  デバイス・ドライバ
３１８、３２０、３２２、３２４、３２６  ドライバ
４００  コントローラ
４２２  ドキュメント・プロセッサ・インターフェイス
４２４  コピー・ハードウェア
４２６  画像走査ハードウェア
４２８  印刷ハードウェア
４３０  ファクシミリ・ハードウェア
４３２  ドキュメント処理ハードウェア
５０２、３０２  ドキュメント処理エンジン
５０４  印刷機能部
５０６  ファクシミリ通信機能部
５０８  画像走査機能部
５１０  ユーザ・インターフェイス・パネル
５１２  ジョブ・キュー
５１４  ネットワーク・サービス機能部
５１６  画像プロセッサ
５１８  ジョブ解析部
５２０  クライアント側ネットワーク・サービス機能
５２２  クライアント装置サービス部
【図１】
2009064432.tif 000003
【図２】
2009064432.tif 000004
【図３】
2009064432.tif 000005
【図４】
2009064432.tif 000006
【図５】
2009064432.tif 000007
【図６】
2009064432.tif 000008
【図７】
2009064432.tif 000009